(57)【特許請求の範囲】
【請求項１】
隈取コイルが巻回されたステータと、該ステータのロータ収容孔に収容されて回転駆動されるロータと、前記ステータを励磁する励磁コイルと、前記ロータを回転自在に支承すべく前記ステータを挟んで相対向する位置に前記ステータに対して固定される一対のブラケットとを備え、
前記隈取コイルは、前記ロータ収容孔の内周面に向けて開口するように形成される隈取コイル溝部に挿通して前記ステータに巻回されてなり、
前記隈取コイルが挿通された前記隈取コイル溝部に生成される空隙又は該空隙に通じる前記一対のブラケットと前記ステータとの間の部位を閉塞する弾性部材を設けたことを特徴とする隈取モータ。
【発明の詳細な説明】
【技術分野】
【０００１】
本発明は、隈取モータに関する。
【背景技術】
【０００２】
隈取モータは、空調機器のドレンポンプや、小型送風・冷却用のファン、観賞魚用水槽の水循環用ポンプ等を駆動するために用いられる。この隈取モータは、例えば、特許文献１及び２に開示されるように、篭型の回転子を挿入する挿入穴（ロータ収容孔）が極分離溝で２極に励磁されるように分離され、各々の極に隈取コイルを備え、隈取コイルによる励磁のずれによって回転磁界を得て回転子を回転させる。
【０００３】
【特許文献１】特許第２８６５３０１号公報
【特許文献２】特公昭５９−０３９９８０号公報
【発明の開示】
【発明が解決しようとする課題】
【０００４】
従来の隈取モータは、図５〜図７に示すように、ステータ２２の表面に、隈取コイル２６、２７を収容する隈取コイル溝部２８、２９の開口部３０〜３３が穿設され、これらの開口部３０〜３３は、隈取コイル溝部２８、２９を介してロータ（不図示）を収容するロータ収容孔２５に連通する。尚、図５〜図７では、隈取コイル２６、２７と開口部３０〜３３の位置関係を明瞭に描くため、隈取コイル２６、２７を黒く着色して描いている。そのため、隈取モータ２１を空調機器のドレンポンプ等に用いると、開口部３０〜３３より隈取コイル溝部２８、２９を介してロータ収容孔２５に異物が侵入し、ロータと、ロータ収容孔２５の内周面との間に噛み込み、ロータがロックされる虞があった。
【０００５】
そこで、本発明は、上記従来の技術における問題点に鑑みてなされたものであって、隈取モータを空調機器のドレンポンプ等に用いた場合でも、ロータと、ロータ収容孔の内周面との間に異物が噛み込む虞がなく、安定した回転を持続することのできる隈取モータを提供することを目的とする。
【課題を解決するための手段】
【０００６】
上記目的を達成するため、本発明は、隈取コイルが巻回されたステータと、該ステータのロータ収容孔に収容されて回転駆動されるロータと、前記ステータを励磁する励磁コイルと、前記ロータを回転自在に支承すべく前記ステータを挟んで相対向する位置に前記ステータに対して固定される一対のブラケットとを備え、前記隈取コイルは、前記ロータ収容孔の内周面に向けて開口するように形成される隈取コイル溝部に挿通して前記ステータに巻回されてなり、前記隈取コイルが挿通された前記隈取コイル溝部に生成される空隙又は該空隙に通じる前記一対のブラケットと前記ステータとの間の部位を閉塞する弾性部材を設けたことを特徴とする。
【０００７】
そして、本発明によれば、弾性部材によって、隈取コイル溝部に生成される空隙又は該空隙に通じる前記一対のブラケットと前記ステータとの間の部位を塞ぐように構成したため、該モータを空調機器のドレンポンプ等に使用した場合でも、外部から、隈取コイル溝部を介してロータ収容孔に異物が侵入する虞がなく、安定したモータの回転を持続することができる。また、異物の侵入を防止するにあたり、弾性部材以外の部分は、従来の隈取モータの構成を踏襲することができるため、製造コストの上昇を僅かなものとすることができる。
【発明の効果】
【００１１】
以上説明したように、本発明によれば、空調機器のドレンポンプ等に用いた場合でも、ロータと、ロータ収容孔の内周面との間に異物が噛み込む虞がなく、安定した回転を持続することのできる隈取モータを提供することができる。
【発明を実施するための最良の形態】
【００１２】
次に、本発明の実施の形態について図面を参照しながら説明する。
【００１３】
図１は、本発明にかかる隈取モータの一実施の形態を示し、この隈取モータ１は、大別して、回転軸１１を回転させるためのロータ（不図示）を内蔵する、ケイ素鋼板等の磁性材料で形成されたステータ２と、励磁コイル３と、ブラケット４、５と、隈取コイル６、７と、閉塞部材としての弾性部材８、９等で構成され、弾性部材８、９を備えた点が本発明の特徴である。ステータ２は、多数枚を積層してなる積層体として構成される。
【００１４】
弾性部材８（９）は、図２に示すような形状に、ニトリルゴム（ＮＢＲ：Acrylonitrile-Butadiene Rubber）等の材料で形成され、図１及び図３に示すように、ステータ２の上下面の隈取コイル６、７が巻回される部分と、ブラケット４、５との間の空隙を埋めるように装着される。ＮＢＲは、耐油性が高く、ブラケットの軸受含油部材から染み出る潤滑油に対して安定である。尚、図３では、見易くするため、弾性部材８の表面にハッチングを施している。図４は、弾性部材８、１０を装着した状態のブラケット４を示す図であって、ブラケット４の隈取コイル６、７が挿通する隈取コイル溝部の開口部を覆うように弾性部材８、１０が隙間なく装着されている。
【００１５】
上記構成により、ステータ２の表面に開口していた、隈取コイル６、７を収容する隈取コイル収容溝部の開口部（図５〜図７に示した参照番号３０〜３３）が弾性部材８、９、１０によって塞がれる。これにより、隈取モータ１を空調機器のドレンポンプ等に用いた場合でも、上記開口部から隈取コイル溝部を介してロータ収容孔に異物が侵入することを防止することができるため、従来のように、異物がロータと、ロータ収容孔の内周面との間に噛み込みことがなく、安定した回転を持続することができる。
【図面の簡単な説明】
【００１７】
【図１】本発明にかかる隈取モータの一実施の形態を示す図であって、（ａ）は正面図、（ｂ）は上面図である。
【図２】図１に示す隈取モータに用いられる弾性部材を示す図であって、（ａ）は正面図、（ｂ）は側面図、（ｃ）は上面図である。
【図３】図１に示す隈取モータの弾性部材装着部及びその近傍を示す拡大斜視図である。
【図４】図１に示す隈取モータのブラケット及び弾性部材を示す図であって、（ａ）は正面図、（ｂ）は（ａ）のＡ−Ａ線断面図、（ｃ）は底面図である。
【図５】従来の隈取モータの一例を示す図であって、ロータ及びブラケットを取り外した状態を示す。
【図６】図５に示す隈取モータのＡ部拡大図である。
【図７】図５に示す隈取モータの斜視図である。
【符号の説明】
【００１８】
１  隈取モータ
２  ステータ
３  励磁コイル
４  ブラケット
５  ブラケット
６  隈取コイル
７  隈取コイル
８  弾性部材
９  弾性部材
１０  弾性部材
１１  回転軸
【図１】
0005090855.tif 000002
【図２】
0005090855.tif 000003
【図３】
0005090855.tif 000004
【図４】
0005090855.tif 000005
【図５】
0005090855.tif 000006
【図６】
0005090855.tif 000007
【図７】
0005090855.tif 000008